(57)【要約】【課題】カップシールを簡単に引き剥がすことができるカップシール剥がし機を提供すること。【解決手段】連結ピン５を基点として揺動可能に支持された第１及び第２の握り柄２、３を備え、第１及び第２の握り柄２、３の先端寄りには第１及び第２の挟持部６，７が形成される。その第１及び第２の挟持部６，７には縦断面方向において尖頭形状とはならない線状に伸びる一対のプレス面８が接離可能に対向配置されている。第１及び第２の握り柄２、３を付勢力に抗して互いに接近する方向に揺動させることで第１及び第２の挟持部６，７がその揺動する動作に連動して駆動させられてプレス面８が互いに当接する。プレス面８間でカップシールＳの開封タブＴをつまんでカップＣから剥がすようにする。【選択図】図２
0003192686.tif 000002
【実用新案登録請求の範囲】
【請求項１】
揺動可能に支持され、互いにその一端が離間する方向に付勢されている第１及び第２の握り柄と、
縦断面方向において尖頭形状とはならない線状に伸びる一対のプレス部が接離可能に対向配置された挟持部とを備え、
前記第１及び第２の握り柄を付勢力に抗して互いに接近する方向に揺動させることで前記挟持部が直接又は間接的にその揺動する動作に連動して駆動させられて前記一対のプレス部が互いに当接することを特徴とするカップシール剥がし機。
【請求項２】
前記第１及び第２の挟持部は前記第１及び第２の握り柄を接近する方向に揺動させることで倍力機構によって駆動させられることを特徴とする請求項１に記載のカップシール剥がし機。
【請求項３】
前記倍力機構はてこ装置によって構成されていることを特徴とする請求項２に記載のカップシール剥がし機。
【請求項４】
プレス部の周囲の前記挟持部を構成する部材には角部が露出しないように面取り加工がされていることを特徴とする請求項１〜３のいずれかに記載のカップシール剥がし機。
【考案の詳細な説明】
【技術分野】
【０００１】
本発明は例えばプリンやゼリー等を容器に入れてその開口部を例えばプラスチックや強化紙等からなるカップシールを使用して密封した密封容器について、そのカップシールを剥がすために使用するカップシール剥がし機に関するものである。
【背景技術】
【０００２】
従来からプリンやゼリー等のカップに入った食品等をプラスチック等のカップシールを使用して密封するようにした密封容器が製造されている。このような先行技術の一例として特許文献１を示す。カップシールは開口部に沿って切り裂いて中身を取り出す場合もあるが、そのような刃物様の器具を使わなくてよいように、カップシールの外周位置に形成された開封タブをつまんでそのままカップシールを開口部から引き剥がすようにするものが主流である。
【先行技術文献】
【特許文献】
【０００３】
【特許文献１】特開２００６−２９８４４２号公報
【考案の概要】
【考案が解決しようとする課題】
【０００４】
しかし、カップシールを引き剥がす場合において、密封性を向上させるためにカップシールはしっかりと容器開口部に貼着されていることが多く、なかなか簡単には剥がせないことがある。特に、子供や女性や老人のように比較的力の弱い年代層ではその傾向が大きい。そのため、簡単にカップシールを引き剥がすことができるカップシール剥がし機が望まれていた。
【課題を解決するための手段】
【０００５】
上記の目的を達成するための第１の手段として、揺動可能に支持され、互いにその一端が離間する方向に付勢されている第１及び第２の握り柄と、縦断面方向において尖頭形状とはならない線状に伸びる一対のプレス部が接離可能に対向配置された挟持部とを備え、前記第１及び第２の握り柄を付勢力に抗して互いに接近する方向に揺動させることで前記挟持部が直接又は間接的にその揺動する動作に連動して駆動させられて前記一対のプレス部が互いに当接するようにしたことをその要旨とする。
これによって、ユーザーが第１及び第２の握り柄を握って付勢力に抗して互いに接近する方向に揺動させると、それに連動して挟持部が駆動させられプレス部が互いに当接する。プレス部によってカップシールの開封タブをつまみ、そのままユーザーは握り柄を握ったままカップシールを剥がす方向（開封タブの位置を基準に開口部を挟んだ反対方向）にカップシール剥がし機を移動させることで、カップシールを剥がすことができる。これによって、力が弱い人でも握り柄をしっかりと握ることで、指先よりも強い力でプレス部によってカップシールの開封タブをつまむことが可能となり、カップシールを剥がすことが容易に行うことができる。
ここに「直接又は間接的に連動」としては例えば、握り柄と挟持部が一体化しており駆動が直接的に伝わる場合や、握り柄と挟持部が別体で構成され、例えばてこ装置やリンク装置等の機構を介して駆動が間接的に伝わる場合がある。「線状に伸びる一対のプレス部」とあるが、これは線状であることである程度の幅を押さえ込むことができるため、開封タブを「点」で挟む場合に比べて千切れにくく剥がしやすいからである。「尖頭形状とはならない」とは尖頭形状であるとプレス部の当接部分が鋭どすぎて開封タブが切断されてしまうからである。そのため、この考案の条件としてプレス部の当接する面は刃物のように尖っていてはいけない。
また、第２の手段として第１の手段に加え、前記挟持部は前記第１及び第２の握り柄を接近する方向に揺動させることで倍力機構によって駆動させられることをその要旨とする。
また、第３の手段として第１又は２の手段に加え、前記倍力機構はてこ装置によって構成されていることをその要旨とする。
また、第４の手段として第１〜３いずれかの手段に加え、ププレス部の周囲の前記挟持部を構成する部材には角部が露出しないように面取り加工がされていることをその要旨とする。
【考案の効果】
【０００６】
本考案のカップシール剥がし機では、力が弱い人でも第１及び第２の握り柄をしっかりと握ることで、指先よりも強い力でプレス部によってカップシールの開封タブをつまむことが可能となり、その結果容易にカップシールを剥がすことができる。
【図面の簡単な説明】
【０００７】
【図１】本考案の実施の形態のカップシール剥がし機の側面図。
【図２】（ａ）〜（ｃ）は同じカップシール剥がし機の使用方法を説明する説明図。
【図３】同じカップシール剥がし機の先端部分の拡大図。
【図４】同じカップシール剥がし機の正面図。
【考案を実施するための形態】
【０００８】
以下、本考案のカップシール剥がし機を具体化した実施の形態を図面に基づいて説明する。
図１及び図２（ａ）〜（ｃ）に示すように、爪切り型のカップシール剥がし機１（以下、剥がし機１とする）は、いずれも鉄合金製の第１の握り柄２と第２の握り柄３と板バネ体４と連結ピン５とから構成されている。バネ体４は第１の握り柄２と第２の握り柄３に配置され、連結ピン５はそのヘッド５ａ側が第２の握り柄３の外位置に配置され、連結ピン５先端が第１の握り柄２に連結されている。
第１の握り柄２は長尺の板状体であって、先端寄りが「く」の字状に屈曲されて構成されている。屈曲されている部分はてこ装置の作用点となる押動面２ａとなる。第１の握り柄２の先端は連結ピン５に対して連結ピン５の径方向で軸支されており、連結ピン５を基点として揺動可能とされている。第１の握り柄２の上面には押動面２ａに隣接した位置にてこ装置の支点となる突起２ｂが形成されている。
第２の握り柄３及び板バネ体４は互いに同形状の長尺の板状体であって、先端寄りが「く」の字状に屈曲されて（第１の握り柄２よりも大きく屈曲している）第１及び第２の挟持部６，７が形成されている。板バネ体４側のみ長手方向に沿って全体に外方向にわずかに反って構成されている。第１及び第２の挟持部６，７の外方には斜めにカットされたカット面６ａ，７ａが形成されている。第１及び第２の挟持部６，７の先端は通常の爪切りとは異なり刃物状に尖っておらず図３に示すように前後約０．２ｍｍ幅、左右幅は約１２ｍｍで構成された平面状のプレス部としてのプレス面８が形成されている。図４に示すように、プレス面８の周囲は面取り加工が施されている。
第２の握り柄３及び板バネ体４は向かい合うように配置され、後端寄り位置で面着されてスポット溶接によって連結固定されている。そのため、第２の握り柄３及び板バネ体４は先端ほど開いた構造となり、互いのプレス面８が向かい合って配置される。これによって、互いのプレス面８を接近させる方向に押圧力が作用するとこれを押し戻す付勢力が発生するバネ構造が構築されることとなる。第２の握り柄３及び板バネ体４は第１の握り柄２と共に連結ピン５によって連結されている。
【０００９】
このような構成の剥がし機１は次のように使用する。まず図１の状態は収納状態である。図１の状態から第１の握り柄２を連結ピン５と共にその周方向に１８０度回転させ、更に連結ピン５を基点として反転させる。この状態で押動面２ａと支点となる突起２ａが板バネ体４に当接し、後方の空中に第１の握り柄２は延出されることとなる（図２（ａ）の状態）。この状態が使用可能な状態である。
ユーザーは図２（ａ）のように、あたかも爪切りを扱うように第１の握り柄２と第２の握り柄３を把持し、図２（ｂ）のように、プレス面８によってカップＣのカップシールＳの開封タブＴがつままれる位置で第１の握り柄２と第２の握り柄３を接近させる（握って揺動させる）。このとき、第１の握り柄２は突起２ａと押動面２ａの距離に対して柄は十分に長いためさほどの力でなくともてこ装置の倍力作用でプレス面８は強い力でプレスされることとなる。また、プレス面８は指で開封タブＴをつまむ場合に比べて当接する面積が小さいため、単位面積当たりのプレス力も指でつまむ場合よりも大きい。この状態で、図２（ｃａ）のようにカップシールＳの貼着部分を剥がすように剥がし機１を移動させる。第１の握り柄２と第２の握り柄３をしっかりと握っている限りプレス面８が開封タブＴから外れることはなく、スムーズにカップＣからカップシールＳを剥がすことが可能となる。
【００１０】
上記のような構成の剥がし機１であれば、比較的力の弱い年代層ではその傾向が大きい。そのため、簡単にカップシールＳを引き剥がすことが可能となる。
尚、この考案は、次のように変更して具体化することも可能である。
・上記剥がし機１の構成は一例である。
・プレス部としてのプレス面８の面積（前後幅や左右幅）は適宜変更可能である。また、切断されなければよいため、平面でなく円弧状に形成するようにしてもよい。
・上記のような爪切り型ではなくニッパー型の形状に剥がし機を化体させるようにしてもよい。
・プレス面８の周囲の面取り加工はなくともよい。
・その他、本考案の趣旨を逸脱しない態様で実施することは自由である。
【符号の説明】
【００１１】
１…カップシール剥がし機、２…第１の握り柄、３…第２の握り柄、６…第１の挟持部、７…第２の挟持部、８…プレス部としてのプレス面。
【図１】
0003192686.tif 000003
【図２】
0003192686.tif 000004
【図３】
0003192686.tif 000005
【図４】
0003192686.tif 000006